(57)【要約】【課題】ユーザに与える違和感を低減することができる照明装置を提供する。【解決手段】照明装置１０は、発光部１１の発光色が黒体軌跡上の色であるか否かを判断する判断部１４と、第１制御部１３とを備える。第１制御部１３は、発光部１１の発光色を、第１発光色から、取得された指示情報に応じた第２発光色に変更するときに、判断部１４によって第１発光色が黒体軌跡上の色でないと判断される場合には、第１発光色を一定の時間をかけて第２発光色に近づける。【選択図】図２
2017188336.tif 000002
【特許請求の範囲】
【請求項１】
発光色の変更が可能な発光部と、
前記発光部の発光色を指示する指示情報を取得する取得部と、
前記発光部を、取得された前記指示情報に応じた発光色で発光させる制御部と、
前記発光部の発光色が黒体軌跡上の色であるか否かを判断する判断部とを備え、
前記制御部は、前記発光部の発光色を、第１発光色から、取得された前記指示情報に応じた第２発光色に変更するときに、前記判断部によって前記第１発光色が黒体軌跡上の色でないと判断される場合には、前記第１発光色を一定の時間をかけて前記第２発光色に近づける
照明装置。
【請求項２】
さらに、前記取得部が前記指示情報を取得するまでに、前記発光部が前記第１発光色で継続して発光していた時間を計測する計測部を備え、
前記制御部は、前記計測部によって計測された時間に応じて前記一定の時間の長さを決定する
請求項１に記載の照明装置。
【請求項３】
さらに、前記照明装置を使用するユーザの属性情報を取得する属性取得部を備え、
前記制御部は、取得された前記ユーザの属性情報に応じて前記一定の時間の長さを決定する
請求項１または２に記載の照明装置。
【請求項４】
前記制御部は、さらに、前記発光部が前記第１発光色で発光しているときの明るさに応じて前記一定の時間の長さを決定する
請求項１〜３のいずれか１項に記載の照明装置。
【請求項５】
前記判断部は、さらに、前記指示情報において指示される前記第２発光色が黒体軌跡上の色であるか否かを判断し、
前記制御部は、前記発光部の発光色を、前記第１発光色から、前記第２発光色に変更するときに、前記判断部によって、前記第１発光色が黒体軌跡上の色でないと判断され、かつ、前記第２発光色が黒体軌跡上の色であると判断された場合に、前記第１発光色を一定の時間をかけて前記第２発光色に近づける
請求項１〜４のいずれか１項に記載の照明装置。
【請求項６】
前記第１発光色は、白色以外の色であり、
前記第２発光色は、白色である
請求項１〜５のいずれか１項に記載の照明装置。
【請求項７】
前記発光部は、各々独立して発光制御が可能な、赤色光源、緑色光源、及び、青色光源を有し、
前記第１発光色は、赤色、緑色、及び、青色のいずれかである
請求項６に記載の照明装置。
【発明の詳細な説明】
【技術分野】
【０００１】
本発明は、照明装置に関する。
【背景技術】
【０００２】
従来、ＬＥＤなどの発光素子を用いた照明装置が知られている。例えば、特許文献１には、発光色（白色）の色温度が変更可能な発光装置が開示されている。
【先行技術文献】
【特許文献】
【０００３】
【特許文献１】特開２０１２−１９１２２５号公報
【発明の概要】
【発明が解決しようとする課題】
【０００４】
発光色の変更が可能な照明装置においては、発光色が急に変わることにより、ユーザに違和感を与えてしまう場合がある。 
【０００５】
本発明は、ユーザに与える違和感を低減することができる照明装置を提供する。
【課題を解決するための手段】
【０００６】
本発明の一態様に係る照明装置は、発光色の変更が可能な発光部と、前記発光部の発光色を指示する指示情報を取得する取得部と、前記発光部を、取得された前記指示情報に応じた発光色で発光させる制御部と、前記発光部の発光色が黒体軌跡上の色であるか否かを判断する判断部とを備え、前記制御部は、前記発光部の発光色を、第１発光色から、取得された前記指示情報に応じた第２発光色に変更するときに、前記判断部によって前記第１発光色が黒体軌跡上の色でないと判断される場合には、前記第１発光色を一定の時間をかけて前記第２発光色に近づける。
【発明の効果】
【０００７】
本発明の照明装置によれば、ユーザに与える違和感を低減することができる。
【図面の簡単な説明】
【０００８】
【図１】図１は、実施の形態１に係る照明システムを構成する機器の外観図である。
【図２】図２は、実施の形態１に係る照明システムの機能構成を示すブロック図である。
【図３】図３は、実施の形態１に係る照明装置の動作例１のフローチャートである。
【図４】図４は、実施の形態１に係る照明装置の動作と、ユーザの色の見え方との関係を示す図である。
【図５】図５は、実施の形態１に係る照明装置の動作例２のフローチャートである。
【図６】図６は、実施の形態２に係る照明システムの機能構成を示すブロック図である。
【図７】図７は、実施の形態２に係る照明装置の動作のフローチャートである。
【図８】図８は、ユーザが属性情報を入力するための画像の一例を示す図である。
【図９】図９は、ユーザが発光色を決定するための画像の一例を示す図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略または簡略化される場合がある。
【００１１】
（実施の形態）
［全体構成］
まず、実施の形態に係る照明システムの構成について説明する。図１は、実施の形態に係る照明システムを構成する機器の外観図である。図２は、実施の形態に係る照明システムの機能構成を示すブロック図である。
【００１２】
図１に示されるように、実施の形態に係る照明システム１００は、照明装置１０と、ユーザが照明装置１０を制御するためのリモートコントローラ２０とを備える。以下、各装置について詳細に説明する。
【００１３】
［照明装置］
まず、照明装置１０について詳細に説明する。照明装置１０は、天井に設置され、室内を照らすシーリングライトである。なお、照明装置１０の具体的態様は、特に限定されない。照明装置１０は、ペンダント形のシーリングライトであってもよい。また、照明装置１０は、スポットライトまたはダウンライトなど、シーリングライト以外の照明装置であってもよい。
【００１４】
照明装置１０は、発光部１１と、受信部１２と、第１制御部１３と、判断部１４と、記憶部１５とを備える。以下、照明装置１０が備える各構成要素について説明する。
【００１５】
発光部１１は、発光色の変更が可能な光源である。発光部１１は、赤色光源１１ｒと、緑色光源１１ｇと、青色光源１１ｂとを有する。赤色光源１１ｒと、緑色光源１１ｇと、青色光源１１ｂとは、第１制御部１３によって、各々独立して点灯、消灯、及び、調光が可能である。
【００１６】
実施の形態１では、発光部１１は、例えば、黒体軌跡上の白色光、赤色の単色光（以下、赤色光とも記載する）、緑色の単色光（以下、緑色光とも記載する）、及び、青色の単色光（以下、青色光とも記載する）を発する。
【００１７】
赤色光源１１ｒは、赤色光を発する光源である。赤色光源１１ｒは、例えば、発光ピーク波長が６１０ｎｍ以上７５０ｎｍ以下の赤色光を発する。赤色光源１１ｒは、具体的には、基板上に赤色ＬＥＤが配置された発光モジュールであるが、赤色光源１１ｒの具体的な態様は、特に限定されない。
【００１８】
緑色光源１１ｇは、緑色光を発する光源である。緑色光源１１ｇは、例えば、発光ピーク波長が５００ｎｍ以上５６０ｎｍ以下の緑色光を発する。緑色光源１１ｇは、具体的には、基板上に緑色ＬＥＤが配置された発光モジュールであるが、緑色光源１１ｇの具体的な態様は、特に限定されない。
【００１９】
青色光源１１ｂは、青色光を発する光源である。青色光源１１ｂは、例えば、発光ピーク波長が４３５ｎｍ以上４８０ｎｍ以下の青色光を発する。青色光源１１ｂは、具体的には、基板上に青色ＬＥＤが配置された発光モジュールであるが、青色光源１１ｂの具体的な態様は、特に限定されない。
【００２０】
受信部１２は、取得部の一例であって、発光部１１の発光色の変更を指示する指示情報をリモートコントローラ２０から取得する。実施の形態１では、リモートコントローラ２０は、赤外線通信によって指示情報を送信する。受信部１２は、例えば、赤外線の受光素子及びその周辺回路である。なお、受信部１２の具体的態様は、特に限定されず、リモートコントローラ２０がＲＦ（Ｒａｄｉｏ  Ｆｒｅｑｕｅｎｃｙ）信号を無線送信するような場合、ＲＦ信号を受信するための無線通信モジュール（通信回路）であってもよい。
【００２１】
第１制御部１３は、照明装置１０の発光部１１を制御する。第１制御部１３は、発光部１１の発光色を、受信部１２によって取得された指示情報に応じた発光色に変更する。
【００２２】
例えば、発光部１１の発光色を赤色にするための指示情報が受信部１２によって取得されると、第１制御部１３は、赤色光源１１ｒのみを選択的に点灯させる。これにより、第１制御部１３は、発光部１１の発光色を赤色にすることができる。同様に、第１制御部１３は、受信部１２によって取得された指示情報に応じて、発光部１１の発光色を緑色、または、青色にすることもできる。
【００２３】
また、発光部１１の発光色を白色にするための指示情報が受信部１２によって取得されると、第１制御部１３は、赤色光源１１ｒ、緑色光源１１ｇ、及び、青色光源１１ｂを全て点灯させる。これにより、第１制御部１３は、発光部１１の発光色を白色にすることができる。なお、発光部１１が発する白色光の色味（色温度）は、特に限定されないが、実施の形態１では、発光部１１は、黒体軌跡上の白色光を発する。
【００２４】
第１制御部１３は、具体的には、発光部１１の光出力を制御するためのＰＷＭ制御回路（調光回路）と、プロセッサとから構成される。第１制御部１３は、マイクロコンピュータなどによって構成されてもよい。なお、発光部１１を所定の発光色で発光させるための制御値（例えば、各光源に出力されるＰＷＭ制御信号のデューティ比）は、例えば、記憶部１５にあらかじめ記憶される。記憶部１５には、より詳細には、発光色（発光色のＩＤ）と、制御値と、当該発光色が黒体軌跡上の色であるかを示すフラグとが対応付けられて記憶される。
【００２５】
判断部１４は、発光部１１の発光色が黒体軌跡上の色であるか否かを、例えば、上記のフラグによって判断する。判断部１４は、例えば、受信部１２によって指示情報が取得されたときに、取得された指示情報において指示される発光部１１の発光色（変更先の発光色）が黒体軌跡上の色であるか否かを判断する。なお、判断結果は、例えば、記憶部１５にフラグとして記憶されてもよい。判断部１４が判断を行うタイミングは、特に限定されない。判断部１４は、例えば、受信部１２によって指示情報が取得されたときに、現在の発光部１１の発光色（変更元の発光色）が黒体軌跡上の色であるか否かを判断してもよい。
【００２６】
判断部１４は、具体的には、プロセッサ、マイクロコンピュータ、または専用回路等により実現される。なお、判断部１４は、第１制御部１３に含まれてもよい。
【００２７】
記憶部１５は、第１制御部１３が実行する制御プログラムが記憶される記憶装置である。記憶部１５には、判断部１４の判断結果（フラグ）、計測部１６の計測時間、指示情報において指示される発光色を実現するための各光源の制御値等が記憶される。記憶部１５は、例えば、半導体メモリによって実現される。記憶部１５への情報の記憶は、例えば、第１制御部１３によって行われる。
【００２８】
［リモートコントローラ］
リモートコントローラ２０は、照明装置１０を制御するためにユーザが使用する制御装置である。実施の形態１では、リモートコントローラ２０は、照明装置１０専用のリモートコントローラであるが、リモートコントローラ２０としてスマートフォンなどの情報端末が使用されてもよい。
【００２９】
入力受付部２１は、ユーザの操作を受け付けるユーザインタフェースである。実施の形態１では、入力受付部２１は、ボタンなどのハードウェアであるが、入力受付部２１は、タッチパネルを含むＧＵＩ（Ｇｒａｐｈｉｃａｌ  Ｕｓｅｒ  Ｉｎｔｅｒｆａｃｅ）であってもよい。
【００３０】
入力受付部２１には、具体的には、照明装置１０を、白色、赤色、緑色、及び青色の各色で発光させるための各ボタンが含まれる。また、入力受付部２１には、照明装置１０をオフするためのボタン、及び、照明装置１０を調光するためのボタンも含まれる。
【００３１】
第２制御部２２は、入力受付部２１が受け付けたユーザの操作に応じて、送信部２３に制御信号を送信させる。制御信号には、点灯信号、調光信号、消灯信号、または指示情報等が含まれる。指示情報は、発光部１１の発光色を指示する情報である。
【００３２】
第２制御部２２は、例えば、入力受付部２１が白色の発光色を指示する操作（ボタンの押下）を受け付けると、白色の発光色を指示する指示情報を送信部２３に送信させる。第２制御部２２は、具体的には、プロセッサ、マイクロコンピュータ、または専用回路によって実現される。
【００３３】
送信部２３は、第２制御部２２の制御に基づいて、受信部１２に点灯信号、調光信号、消灯信号、または指示情報などの制御信号を送信する。実施の形態１では、送信部２３は、赤外線によって制御信号を送信する。送信部２３は、具体的には、赤外線通信用の通信モジュール（通信回路）であるが、受信部１２に制御信号を送信できればよい。送信部２３は、ＲＦ信号を無線送信する通信モジュールなどであってもよい。
【００３４】
［動作例１］
次に、照明装置１０の動作例１について説明する。図３は、照明装置１０の動作例１のフローチャートである。
【００３５】
照明装置１０の発光部１１が、第１発光色で発光しているときに（Ｓ１１）、受信部１２が、発光部１１の発光色を指示する指示情報を取得すると（Ｓ１２）、第１制御部１３は、発光部１１を、取得された指示情報に応じた第２発光色で発光させようとする。つまり、第１制御部１３は、発光部１１の発光色を、第１発光色から、第２発光色に変更しようとする。
【００３６】
判断部１４は、第１発光色が黒体軌跡上の色であるか否かを判断する。（Ｓ１３）、判断部１４によって第１発光色が黒体軌跡上の色であると判断される場合（Ｓ１３でＹｅｓ）には、第１制御部１３は、発光部１１を第２発光色で発光させる（Ｓ１５）。例えば、第１制御部１３は、指示情報が取得されてから一定の時間が経過する前のある時刻において、第１発光色を第２発光色に瞬時に変更する。
【００３７】
一方、判断部１４によって第１発光色が黒体軌跡上の色でないと判断される場合（Ｓ１３でＮｏ）には、第１制御部１３は、第１発光色を一定の時間をかけて徐々に第２発光色に近づける（Ｓ１４）。この場合も、最終的には、発光部１１は、第２発光色で発光する（Ｓ１５）。
【００３８】
このような動作により得られる効果について、図４を参照しながら説明する。図４は、照明装置１０の動作と、ユーザの色の見え方との関係を示す図である。図４の（ａ）は、発光部１１の光出力（明るさ）を示す、図４の（ｂ）は、ユーザの色の見え方を示す。
【００３９】
図４の例では、第１発光色は、赤色である。図４の（ａ）に示されるように、発光部１１は、時刻ｔ０から時刻ｔ１までの期間Ｔ１において、赤色光を一定の光出力（明るさ）で出射する。期間Ｔ１においては、緑色光の光出力及び青色光の光出力は、０である。期間Ｔ１の当初は、照明装置１０が照明する空間内に存在するユーザの目には、空間全体が赤っぽく見える。
【００４０】
しかしながら、人間の網膜に含まれる視細胞（錐体）は、色の見え方を一定に保とうとする、いわゆる色順応と呼ばれる性質がある。このため、図４の（ｂ）に示されるように、期間Ｔ１においては時刻が時刻ｔ１に近づくにつれて、ユーザの色の見え方は、白色光の環境下の色の見え方に近づく。つまり、赤色光に対する感度は、徐々に低下する。一方で、期間Ｔ１において、緑色光及び青色光に対する感度は、徐々に増加する。
【００４１】
図４の例では、受信部１２は、発光色の白色光への変更を指示する指示情報を時刻ｔ１に取得する。仮に、時刻ｔ１で第１制御部１３が直ちに発光部１１を白色光で発光させると、時刻ｔ１においては、赤色光に対する感度が低下し、緑色光及び青色光に対する感度が増加している状態であるため、ユーザの目には緑色（より正確には、青緑色）の残像が見えてしまう。緑色は、赤色の補色である。
【００４２】
このように、ユーザが特定の色の光を長時間見続けた後、特定の色の光が急に無くなると、特定の色の補色が残像として残る。なお、期間Ｔ１における発光部１１の発光色が黒体軌跡上の色であれば、このような色の残像は少ない。
【００４３】
そこで、第１制御部１３は、図３のステップＳ１３に示されるように、期間Ｔ１における発光部１１の発光色、すなわち、第１発光色が黒体軌跡上の色である否かの判定を行う。そして、第１発光色が黒体軌跡上の色である場合には、第１発光色は直ちに第２発光色に変更される。この場合は、色の残像の発生が少なく、ユーザに与える違和感が少ないと考えられるからである。
【００４４】
一方で、第１発光色が黒体軌跡上の色でない場合、第１発光色を一定の時間をかけて第２発光色に近づける。これにより、発光色の変化が穏やかになる（赤色光が急に無くならない）ため、照明装置１０は、色の残像を低減することができる。以下、第１発光色を一定の時間をかけて第２発光色に近づける制御の詳細について説明する。
【００４５】
まず、第１制御部１３は、取得された指示情報に基づいて、第２発光色（時刻ｔ１以降の光出力）を実現するための、赤色光源１１ｒ、緑色光源１１ｇ、及び、青色光源１１ｂの各光源の制御値（以下、第２制御値とも記載する）を、記憶部１５を参照することにより特定する。
【００４６】
次に、第１制御部１３は、時刻ｔ１において、各光源の光出力を瞬時に所定量変化させる。第１制御部１３は、具体的には、各光源の光出力が所定量だけ時刻ｔ２における光出力に近付くように制御値を瞬時に変更する制御を行う。この制御は、発光部１１の発光色を急に変化させることによって、指示情報が無事取得されたことをユーザに知らせるために行われる。この制御は、必須ではなく省略されてもよい。以下の説明では、この制御が行われた直後の各光源に対する制御値が、第１制御値と記載される。
【００４７】
次に、第１制御部１３は、第１制御値を一定の時間（期間Ｔ２）をかけて第２制御値に近づける。期間Ｔ２において赤色光の光出力は単調減少し、緑色光の光出力及び青色光の光出力は単調増加する。なお、期間Ｔ２において、光出力は、非線形に増加または減少しているが、線形に増加または減少してもよい。光出力が非線形に増加または減少するときのカーブの形は、経験的または実験的に適宜定められればよい。これにより、ユーザに発光色の変化を自然に知覚させることができる。
【００４８】
時刻ｔ２においては、第１制御部１３は、各光源の制御値を第２制御値に到達させる。これにより、発光部１１は、第２発光色で発光する。
【００４９】
なお、実施の形態１では、第１発光色は、赤色であるが、緑色または青色であってもよいし、黄色など他の色であってもよい。第１発光色は、黒体軌跡上の色であればよく、第２発光色は、第１発光色と異なる色であればよい。また、第１発光色を一定の時間をかけて第２発光色に近づける制御は、第１発光色が白色以外の色であり、第２発光色が白色であるときに特に有効である。なお、このときの白色の相関色温度は、特に限定されない。このときの白色には、黒体軌跡上の白色と、黒体軌跡上に位置しない白色との両方が含まれる。
【００５０】
［動作例２］
次に、照明装置１０の動作例２について説明する。図５は、照明装置１０の動作例２のフローチャートである。なお、以下の動作例２の説明では、動作例１との相違点を中心に説明が行われる。
【００５１】
動作例２では、動作例１でステップＳ１３において第１発光色が黒体軌跡上の色でないと判断された場合（Ｓ１３でＮｏ）に、判断部１４は、第２発光色が黒体軌跡上の色であるか否かをさらに判断する（Ｓ１６）。判断部１４によって第２発光色が黒体軌跡上の色でないと判断される場合（Ｓ１６でＮｏ）には、第１制御部１３は、発光部１１を第２発光色で発光させる（Ｓ１５）。つまり、第１制御部１３は、第１発光色を直ちに第２発光色に変更する。
【００５２】
一方、判断部１４によって第２発光色が黒体軌跡上の色であると判断される場合（Ｓ１６でＹｅｓ）には、第１制御部１３は、第１発光色を一定の時間をかけて徐々に第２発光色に近づける（Ｓ１４）。最終的には、発光部１１は、第２発光色で発光する（Ｓ１５）。
【００５３】
このように、判断部１４は、さらに、指示情報において指示される第２発光色が黒体軌跡上の色であるか否かを判断してもよい。第１制御部１３は、判断部１４によって第１発光色が黒体軌跡上の色でないと判断され、かつ、第２発光色が黒体軌跡上の色であると判断された場合に、第１発光色を一定の時間をかけて第２発光色に近づけてもよい。
【００５４】
これにより、照明装置１０は、発光色が黒体軌跡上にない色から黒体軌跡上の色に変更されるときに生じる、色の残像（ユーザへの違和感）を低減することができる。
【００５５】
［実施の形態１の効果等］
以上説明したように、照明装置１０は、発光色の変更が可能な発光部１１と、発光部の発光色を指示する指示情報を取得する受信部１２と、発光部１１を、取得された指示情報に応じた発光色で発光させる第１制御部１３と、発光部１１の発光色が黒体軌跡上の色であるか否かを判断する判断部１４とを備える。受信部１２は、取得部の一例である。
【００５６】
第１制御部１３は、発光部１１の発光色を、第１発光色から、取得された指示情報に応じた第２発光色に変更するときに、判断部１４によって第１発光色が黒体軌跡上の色でないと判断される場合には、第１発光色を一定の時間をかけて第２発光色に近づける。
【００５７】
これにより、発光色の変化が穏やかになるため、照明装置１０は、色の残像を低減することができる。すなわち、照明装置１０は、ユーザに与える違和感を低減することができる。
【００５８】
また、判断部１４は、さらに、指示情報において指示される第２発光色が黒体軌跡上の色であるか否かを判断してもよい。第１制御部１３は、発光部１１の発光色を、第１発光色から、第２発光色に変更するときに、判断部１４によって、第１発光色が黒体軌跡上の色でないと判断され、かつ、第２発光色が黒体軌跡上の色であると判断された場合に、第１発光色を一定の時間をかけて第２発光色に近づけてもよい。
【００５９】
これにより、照明装置１０は、発光色が黒体軌跡上にない色から黒体軌跡上の色に変更されるときに生じる、色の残像を低減することができる。つまり、照明装置１０は、ユーザに与える違和感を低減することができる。
【００６０】
また、第１発光色は、白色以外の色であり、第２発光色は、白色であってもよい。
【００６１】
これにより、照明装置１０は、発光色が白色以外の色から白色に変更されるときに生じる、色の残像を低減することができる。つまり、照明装置１０は、ユーザに与える違和感を低減することができる。
【００６２】
また、発光部１１は、各々独立して発光制御が可能な、赤色光源１１ｒ、緑色光源１１ｇ、及び、青色光源１１ｂを有し、第１発光色は、赤色、緑色、及び、青色のいずれかであってもよい。
【００６３】
これにより、照明装置１０は、発光色が光の３原色のいずれかから白色に変更されるときに生じる、色の残像を低減することができる。つまり、照明装置１０は、ユーザに与える違和感を低減することができる。
【００６４】
（実施の形態２）
［構成］
実施の形態１では、第１制御部１３は、第１発光色を一定の時間をかけて第２発光色に近づける制御を行った。ここで、一定の時間の長さ（図４の期間Ｔ２の長さ）は、固定の長さであってもよいが、変更されてもよい。以下、このような動作を行う実施の形態２に係る照明システムについて説明する。図６は、実施の形態２に係る照明システムの機能構成を示すブロック図である。なお、以下の実施の形態２では、実施の形態１との相違点を中心に説明が行われる。また、以下の実施の形態２では、上述の図４も適宜参照される。
【００６５】
実施の形態２に係る照明システム１００ａは、照明装置１０ａと、リモートコントローラ２０ａとを備える。
【００６６】
照明装置１０ａは、計測部１６をさらに備える点が照明装置１０と異なる。計測部１６は、発光部１１が発光している時間を計測する。計測部１６は、具体的には、受信部１２が指示情報を取得するまでに、発光部１１が変更元の発光色で継続して発光していた時間を計測する。計測部１６は、具体的には、タイマ回路、または、リアルタイムクロックＩＣなどであるが、どのような態様であってもよい。計測部１６が計測した時間を示す時間情報は、第１制御部１３によって記憶部１５に記憶される。時間情報は、一定の時間の長さの決定に用いられる。
【００６７】
リモートコントローラ２０ａは、例えば、スマートフォン、タブレット端末、またはパーソナルコンピュータなどの情報端末に専用のアプリケーションがインストールされることにより実現される。このため、リモートコントローラ２０ａは、表示部２４を備える点がリモートコントローラ２０と異なる。
【００６８】
表示部２４は、第２制御部２２の制御に基づいて画像を表示する。表示部２４は、具体的には、液晶パネル、または、有機ＥＬパネルなどによって実現される。実施の形態２では、入力受付部２１は、タッチパネルであり、入力受付部２１及び表示部２４は、ＧＵＩを構成する。ユーザは、ＧＵＩを通じてユーザの属性情報を入力することができ、このような属性情報は、一定の時間の長さの決定に用いられる。
【００６９】
［動作］
次に、照明装置１０ａの動作について説明する。図７は、照明装置１０ａの動作のフローチャートである。なお、以下の動作の説明では、実施の形態１で説明された動作例１との相違点を中心に説明が行われる。
【００７０】
実施の形態２係る動作では、ステップＳ１３において判断部１４によって第１発光色が黒体軌跡上の色でないと判断される場合（Ｓ１３でＮｏ）に、第１制御部１３は、一定の時間の長さを決定する（Ｓ１７）。その後、第１制御部１３は、第１発光色を、決定した一定の時間をかけて第２発光色に近づける（Ｓ１４）。
【００７１】
［一定の時間の長さの決定例１］
例えば、第１制御部１３は、計測部１６によって計測された時間に応じて一定の時間の長さを決定する。計測部１６によって計測された時間は、具体的には、上述の図４における期間Ｔ１の長さに相当する。図４において、期間Ｔ１の長さが長いと、赤色光に対する感度の低下が顕著になり、かつ、緑色光及び青色光に対する感度の増加が顕著になるため、色の残像が発生しやすいと考えられる。計測部１６によって計測された時間が長いほど、一定の時間の長さを長くすることにより、色の残像を効果的に抑制することができる。
【００７２】
［一定の時間の長さの決定例２］
第１制御部１３は、発光部１１が第１発光色で発光しているときの明るさに応じて一定の時間の長さを決定してもよい。発光部１１が第１発光色で発光しているときの明るさは、具体的には、上述の図４の（ａ）における光出力の大きさ（縦軸）に相当する。光出力が大きいと、赤色光に対する感度の低下が顕著になり、かつ、緑色光及び青色光に対する感度の増加が顕著になるため、色の残像が発生しやすいと考えられる。光出力が大きいほど、一定の時間の長さを長くすることにより、色の残像を効果的に抑制することができる。なお、発光部１１が第１発光色で発光しているときの明るさを示す情報は、例えば、記憶部１５に記憶される。
【００７３】
［一定の時間の長さの決定例３］
第１制御部１３は、発光部１１が第１発光色で発光しているときの明るさに応じて一定の時間の長さを決定してもよい。この場合、ユーザは、リモートコントローラ２０ａを通じて当該ユーザの属性情報を入力する。このとき、第２制御部２２は、ユーザが属性情報を入力するための画像を表示部２４に表示させる。図８は、ユーザが属性情報を入力するための画像の一例を示す図である。
【００７４】
図８に示されるように、属性情報には、例えば、ユーザの年齢を示す情報、ユーザの瞳の色を示す情報、眼病の有無を示す情報などが含まれる。図８の例では、ユーザは、これらの属性情報を入力し、送信ボタンをタップ操作する。これにより、ユーザの属性情報は、送信部２３によって受信部１２に送信される。
【００７５】
照明装置１０ａの受信部１２は、照明装置１０ａを使用するユーザの属性情報を取得する。第１制御部１３は、取得されたユーザの属性情報を、例えば、記憶部１５に記憶し、記憶されたユーザの属性情報に応じて一定の時間の長さを決定する。
【００７６】
例えば、瞳の色が黒いユーザよりも瞳の色が青いユーザの方が、瞳の色が薄いため、色の変化を感じやすいという実験結果が知られている。このような実験結果に基づけば、ユーザの瞳の色が青いときには、ユーザの瞳の色が黒いときよりも一定の時間の長さを長くする必要があると考えられる。ユーザの瞳の色が青いときには、ユーザの瞳の色が黒いときよりも一定の時間の長さを長くすることにより、第１制御部１３は、色の残像を効果的に抑制することができる。
【００７７】
また、第１制御部１３は、ユーザの年齢が高いほど、当該ユーザは、急な色の変化を好まない傾向がある。また、眼病等を患っているユーザも、急な色の変化を好まない傾向がある。そこで、第１制御部１３は、このような場合に一定の時間の長さを長くすることにより、ユーザが感じる違和感を低減できる。なお、このような制御は一例であり、例えば、ユーザが子供であるような場合も、急な色の変化が好まれない場合がある。そこで、第１制御部１３は、入力されたユーザの年齢に基づいて、ユーザが子供（例えば、１８歳以下）であると判断された場合に、ユーザが大人であると判断されるときよりも一定の時間の長さを長くしてもよい。
【００７８】
以上、一定の時間の長さの決定方法について説明した。実施の形態２のように、複数種類のユーザの属性情報が用いられる場合には、例えば、複数種類のユーザの属性情報のそれぞれについて、一定の時間の長さの補正量が定められる。なお、一定の時間の長さを決めるために、ユーザの属性情報は少なくとも１つ用いられればよい。
【００７９】
また、ユーザの属性情報には、国籍を示す情報が含まれてもよい。例えば、国籍によって、派手な色の照明を好むなど、照明に対する嗜好が異なる場合がある。ユーザが図４のように赤色の照明に慣れているような場合、一定の時間を長くする必要はない。したがって、第１制御部１３は、例えば、ユーザが特定の国籍であるときに、他の国籍のユーザよりも一定の時間の長さを短くしてもよい。
【００８０】
［実施の形態２の効果等］
以上説明したように、実施の形態２に係る照明装置１０ａは、受信部１２が指示情報を取得するまでに、発光部１１が第１発光色で継続して発光していた時間を計測する計測部１６を備える。第１制御部１３は、計測部１６によって計測された時間に応じて一定の時間の長さを決定する。
【００８１】
これにより、照明装置１０ａは、計測部１６によって計測された時間に応じて、色の残像を効果的に抑制することができる。つまり、照明装置１０ａは、ユーザに与える違和感を効果的に低減することができる。
【００８２】
また、照明装置１０ａは、照明装置１０ａを使用するユーザの属性情報を取得する受信部１２を備えてもよい。受信部１２は、属性取得部の一例である。第１制御部１３は、取得されたユーザの属性情報に応じて一定の時間の長さを決定してもよい。
【００８３】
これにより、照明装置１０ａは、受信部１２によって取得されたユーザの属性情報に応じて、色の残像を効果的に抑制することができる。つまり、照明装置１０ａは、ユーザに与える違和感を効果的に低減することができる。
【００８４】
また、第１制御部１３は、さらに、発光部１１が第１発光色で発光しているときの明るさに応じて一定の時間の長さを決定してもよい。
【００８５】
これにより、照明装置１０ａは、発光部１１が第１発光色で発光しているときの明るさに応じて、色の残像を効果的に抑制することができる。つまり、照明装置１０ａは、ユーザに与える違和感を効果的に低減することができる。
【００８６】
［補足］
なお、実施の形態２のように、ＧＵＩが用いられれば、ユーザは、発光部１１の発光色を任意に変更することができる。図９は、ユーザが発光色を決定するための画像の一例を示す図である。
【００８７】
図９に示される画像は、赤色光源１１ｒの光出力を調整するためのスライダ、緑色光源１１ｇの光出力を調整するためのスライダ、及び、青色光源１１ｂの光出力を調整するためのスライダを含む。ユーザは、例えば、このようなスライダをスワイプ操作することにより、各光源の光出力を調整することができる。また、ユーザは、送信ボタンをタップ操作することにより、発光部１１の発光色を任意に変更することができる。第１発光色を一定の時間をかけて第２発光色に近づける制御は、このように、発光部１１の発光色を任意に変更できる照明システム１００ａにおいて有用である。
【００８８】
（その他の実施の形態）
以上、実施の形態に係る照明システム、及び、照明装置について説明したが、本発明は、上記実施の形態に限定されない。
【００８９】
例えば、上記実施の形態で説明された発光部の構成は、一例であり、発光部は、発光色が変更可能であればよい。例えば、発光部には、ＬＥＤに代えて、無機エレクトロルミネッセンス、有機エレクトロルミネッセンス、または、半導体レーザー等の固体発光素子が使用されてもよい。
【００９０】
また、本発明の包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。例えば、本発明は、照明装置の制御方法として実現されてもよいし、照明装置の制御方法をコンピュータに実行させるためのプログラムとして実現されてもよいし、上記実施の形態に係る照明システムとして実現されてもよい。
【００９１】
また、上記実施の形態において、制御部などの構成要素の全部または一部は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９２】
また、上記各実施の形態において、特定の処理部が実行する処理を別の処理部が実行してもよい。また、複数の処理の順序が変更されてもよいし、複数の処理が並行して実行されてもよい。
【００９３】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９４】
１０、１０ａ  照明装置
１１  発光部
１１ｂ  青色光源
１１ｇ  緑色光源
１１ｒ  赤色光源
１２  受信部（取得部、属性取得部）
１３  第１制御部（制御部）
１４  判断部
１６  計測部
【図１】
2017188336.tif 000003
【図２】
2017188336.tif 000004
【図３】
2017188336.tif 000005
【図４】
2017188336.tif 000006
【図５】
2017188336.tif 000007
【図６】
2017188336.tif 000008
【図７】
2017188336.tif 000009
【図８】
2017188336.tif 000010
【図９】
2017188336.tif 000011